(57)【要約】【課題】フック２２の動きが阻害されにくいアシストフックアッセンブリー１６の提供。【解決手段】アシストフックアッセンブリー１６は、スプリットリング１８、２つのフックリーダー２０及び２つのフック２２を備えている。このスプリットリング１８の軸方向視は、三角形である。スプリットリング１８の頂点２８ａに、ライン３２が連結されている。フックリーダー２０は、第一ボディ３４、第二ボディ３６、第三ボディ３８、上環４０、下環４２、上バー４４及び下バー４６からなる。上環４０には、スプリットリング１８の辺３０ａが通されている。１つの辺３０ａに、２つのフックリーダー２０が吊り下げられている。下環４２には、フック２２が連結されている。フックリーダー２０及びフック２２の質量が上環４０に加わっても、上環４０同士は近寄らない。【選択図】図１
2008022798.tif 000002
【特許請求の範囲】
【請求項１】
フックと、
軸方向視が実質的に三角形であるスプリットリングと、
その一端がフックと連結され、その他端がスプリットリングと連結された複数のフックリーダーと、
を備えたアシストフックアッセンブリー。
【請求項２】
上記フックリーダーが、複数のスイベルが直列に連結されてなる請求項１に記載のアシストフックアッセンブリー。
【請求項３】
上記フックリーダーが金属ワイヤーからなる請求項１に記載のアシストフックアッセンブリー。
【請求項４】
軸方向視が実質的に三角形であるスプリットリング。
【発明の詳細な説明】
【技術分野】
【０００１】
本発明は、ジギング等に用いられるアシストフックアッセンブリーに関する。詳細には、本発明は、複数のフックを備えたアシストフックアッセンブリーに関する。
【背景技術】
【０００２】
ジギングでは、ジグとメインフックとが用いられる。メインフックは通常、ジグのテールに取り付けられる。ジグのヘッドには、ライン（又はショックリーダー）が連結される。ラインが引かれることにより、ジグは水中でアクションを起こす。このアクションにより、フィッシュイーターはジグをベイトと勘違いしてこのジグに食いつく。このとき、メインフックがフィッシュイーターに刺さり、フィッシュイーターが釣り上げられる。
【０００３】
フッキング率の向上の目的で、メインフックとともにアシストフックが用いられることがある。このアシストフックは、フックと、その一端がこのフックに連結されたフックリーダー（針素）とからなる。典型的なフックリーダーは、アラミド繊維（ケブラー（登録商標））からなる。フックリーダーは、フックがジグのヘッド近傍に位置するように、ジグ又はラインに取り付けられる。フッキング率の向上の目的で、２以上のアシストフックが用いられることもある。アシストフックのみが用いられ、メインフックが取り付けられないこともある。ジグのテールにアシストフックが取り付けられることもある。
【０００４】
太刀魚、サワラ等の歯が鋭い魚がジグに食いついたとき、この歯によってフックリーダーが切断されることがある。切断防止の目的で、複数のスイベルが連結されてなるフックリーダーが用いられることがある。切断防止の目的で、金属製ワイヤーからなるフックリーダーが用いられることもある。
【０００５】
図４は、従来のアシストフックアッセンブリー２が示された正面図である。このアッセンブリー２は、スプリットリング４、２つのフックリーダー６及び２つのフック８を備えている。このスプリットリング４の軸方向視は、円である。フックリーダー６は、３つのスイベル１０、上環１２及び下環１４を備えている。上環１２にはスプリットリング４が通されており、下環１４にはフック８が連結されている。フックリーダー６は、金属製である。歯が鋭い魚がジグに食いついたときでも、このフックリーダー６の切断は生じない。
【発明の開示】
【発明が解決しようとする課題】
【０００６】
フックリーダー６及びフック８の重さにより、２つの上環１２はスプリットリング４の下側に位置する。換言すれば、一方のフックリーダー６と他方のフックリーダー６とが近接する。この近接により、図４に示されるように、一方のフックリーダー６のスイベル１０と他方のフックリーダー６のスイベル１０とが、干渉し合う。この干渉により、フック８の自由な動きが阻害される。動きが阻害されたフック８は、フィッシュイーターがジグに食いついたときに、フィッシュイーターの口に吸い込まれにくい。フックリーダー６の干渉は、フッキング率の低下を招来する。
【０００７】
本発明の目的は、フックの動きが阻害されにくいアシストフックアッセンブリーの提供にある。
【課題を解決するための手段】
【０００８】
本発明に係るアシストフックアッセンブリーは、フックと、軸方向視が実質的に三角形であるスプリットリングと、複数のフックリーダーとを備える。このフックリーダーの一端はフックと連結され、その他端はスプリットリングと連結される。このスプリットリングは、複数のスイベルが直列に連結されてなるフックリーダーが用いられる場合において、特に効果を発揮する。このスプリットリングは、金属ワイヤーからなるフックリーダーが用いられる場合においても、効果を発揮する。軸方向視が実質的に三角形であるスプリットリングは、種々の用途に用いられうる。
【発明の効果】
【０００９】
本発明に係るアシストフックアッセンブリーでは、スプリットリングが三角形なので、フックリーダー同士が近接しにくい。このアッセンブリーでは、フックの動きが阻害されにくい。このフックは、フィッシュイーターの口に吸い込まれやすい。このアッセンブリーにより、高いフッキング率が達成される。
【発明を実施するための最良の形態】
【００１０】
以下、適宜図面が参照されつつ、好ましい実施形態に基づいて本発明が詳細に説明される。
【００１１】
図１は、本発明の一実施形態に係るアシストフックアッセンブリー１６が示された正面図である。このアシストフックアッセンブリー１６は、スプリットリング１８、２つのフックリーダー２０及び２つのフック２２を備えている。フックリーダー２０の一端は、リング２３を介してフック２２と連結されている。フックリーダー２０の他端は、スプリットリング１８と連結されている。
【００１２】
図２（ａ）は図１のアッセンブリー１６のスプリットリング１８が示された拡大正面図であり、図２（ｂ）はその右側面図である。図２（ａ）における紙面垂直方向は、スプリットリング１８の軸方向である。このスプリットリング１８は、金属線２４が巻かれることで得られる。図２（ｂ）には、この金属線２４の２つの端２６が示されている。金属線２４は、ほぼ２周するように巻かれている。金属線２４の太さは、通常は０．３ｍｍから３．０ｍｍである。金属線２４の典型的な材質は、炭素鋼である。金属線２４にメッキが施されることが、好ましい。金属線２４が、真鍮又はステンレススチールからなってもよい。
【００１３】
図２（ａ）から明らかなように、このスプリットリング１８の軸方向視は三角形である。このスプリットリング１８は、３つの頂点２８ａ、２８ｂ、２８ｃ及び３つの辺３０ａ、３０ｂ、３０ｃを備える。各辺３０ａ、３０ｂ、３０ｃの長さは、通常は３ｍｍから２０ｍｍである。図１に示されるように、１つの頂点２８ａに、直接に又はスナップスイベル等の金具を介して、ライン３２（又はショックリーダー）が連結される。
【００１４】
図１に示されるように、フックリーダー２０は、第一ボディ３４、第二ボディ３６、第三ボディ３８、上環４０、下環４２、上バー４４及び下バー４６からなる。上環４０、第一ボディ３４及び上バー４４は、第一スイベル４８を構成する。上バー４４、第二ボディ３６及び下バー４６は、第二スイベル５０を構成する。下バー４６、第三ボディ３８及び下環４２は、第三スイベル５２を構成する。このフックリーダー２０では、３つのスイベル４８、５０、５２が連結されている。このフックリーダー２０は、いわゆる連結スイベルである。スイベルの数は２でもよく、４以上でもよい。ボディ（３４、３６、３８）、環（４０、４２）及びバー（４４、４６）は、いずれも金属材料からなる。典型的な金属材料は、真鍮（黄道）である。
【００１５】
図３は、図１のアッセンブリー１６のフックリーダー２０の一部が示された拡大断面図である。この図３には、第一ボディ３４、第二ボディ３６、上環４０及び上バー４４が示されている。
【００１６】
第一ボディ３４は、樽型である。第一ボディ３４は、中空である。第一ボディ３４は、上間口５４及び下間口５６を備えている。上間口５４及び下間口５６の内径は、小さい。第二ボディ３６及び第三ボディ３８の構成は、第一ボディ３４のそれと同一である。
【００１７】
上環４０は、金属線の曲げ加工により形成されている。上環４０は、アイ５８、軸６０及び張り出し部６２からなる。アイ５８の直径は、第一ボディ３４の上間口５４の内容よりも大きい。従って、アイ５８は第一ボディ３４に引き込まれない。軸６０は、上間口５４を貫通している。張り出し部６２は、第一ボディ３４に収容されている。張り出し部６２の外径は、上間口５４の内径よりも大きい。従って、張り出し部６２は第一ボディ３４から抜脱しない。第一ボディ３４は、上環４０に対して回転しうる。この回転により、フックリーダー２０の撚りが解消される。図示されていないが、下環４２の構成は上環４０のそれと同一である。
【００１８】
上バー４４は、軸６４と、上下一対の張り出し部６６、６８とからなる。軸６４は、第一ボディ３４の下間口５６を貫通している。軸６４はまた、第二ボディ３６の上間口７０を貫通している。一方の張り出し部６６は、第一ボディ３４に収容されている。この張り出し部６６の外径は、第一ボディ３４の下間口５６の内径よりも大きい。従って、張り出し部６６は第一ボディ３４から抜脱しない。他方の張り出し部６８は、第二ボディ３６に収容されている。この張り出し部６８の外径は、第二ボディ３６の上間口７０の内径よりも大きい。従って、張り出し部６８は第二ボディ３６から抜脱しない。第一ボディ３４は、上バー４４に対して回転しうる。第二ボディ３６も、上バー４４に対して回転しうる。この回転により、フックリーダー２０の撚りが解消される。図示されていないが、下バー４６の構成は上バー４４のそれと同一である。
【００１９】
図１に示されるように、上環４０にはスプリットリング１８の辺３０ａが通されている。１つの辺３０ａに、２つのフックリーダー２０が吊り下げられている。辺３０ａは水平方向に延在しているので、フックリーダー２０及びフック２２の質量が上環４０に加わっても、上環４０同士が近寄らない。換言すれば、このアッセンブリー１６では、フックリーダー２０同士が近接しにくい。このアッセンブリー１６では、フックリーダー２０同士の干渉が生じにくく、フック２２の動きが阻害されにくい。このフック２２は、フィッシュイーターの口に吸い込まれやすい。このアッセンブリー１６は、高いフッキング率に寄与する。
【００２０】
フックリーダーとして、金属ワイヤーが用いられてもよい。この場合も、三角形であるスプリットリングにより、フックの自由な動きが達成されうる。
【００２１】
三角形であるスプリットリングは、アシストフックアッセンブリー以外の種々の用途に用いられうる。
【産業上の利用可能性】
【００２２】
本発明に係るアシストフックアッセンブリーは、種々のフィッシュイーターをターゲットにした釣りに用いられうる。
【図面の簡単な説明】
【００２３】
【図１】図１は、本発明の一実施形態に係るアシストフックアッセンブリーが示された正面図である。
【図２】図２（ａ）は図１のアッセンブリーのスプリットリングが示された拡大正面図であり、図２（ｂ）はその右側面図である。
【図３】図３は、図１のアッセンブリーのフックリーダーの一部が示された拡大断面図である。
【図４】図４は、従来のアシストフックアッセンブリーが示された正面図である。
【符号の説明】
【００２４】
１６・・・アシストフックアッセンブリー
１８・・・スプリットリング
２０・・・フックリーダー
２２・・・フック
２８ａ・・・頂点
３０ａ・・・辺
３４・・・第一ボディ
３６・・・第二ボディ
３８・・・第三ボディ
４０・・・上環
４２・・・下環
４４・・・上バー
４６・・・下バー
４８・・・第一スイベル
５０・・・第二スイベル
５２・・・第三スイベル
【図１】
2008022798.tif 000003
【図２】
2008022798.tif 000004
【図３】
2008022798.tif 000005
【図４】
2008022798.tif 000006